(57)【特許請求の範囲】
【請求項１】
収納ケースに収納された昇降棚に取り付けられた平行支持リンクによって、前記昇降棚を前記収納ケースから前方下方に移動自在とする昇降装置であって、
前記平行支持リンクの少なくとも一方の支持リンクの回動軸にその中心端部が固定される渦巻きバネと、
軸を中心に回動自在で且つ前記軸から外方に伸びその端部の各々に前記渦巻きバネの外方端部に係合し得る係合ピンを備えた第１枝部及び第２枝部を含むストッパと、前記ストッパに接続され、前記ストッパを前記軸を中心として回動自在とする操作レバーとを含み、前記外方端部に対する係合位置を２以上の位置に変更し得るバネ調整手段とを備えた、昇降装置。
【請求項２】
前記ストッパは、前記軸から更に外方に伸びる支持部を備え
、前記操作レバーは、前記支持部の端部に接続される、請求項１記載の昇降装置。
【請求項３】
前記第１枝部、前記第２枝部及び前記支持部は前記軸を中心とした三叉状に配置され、
前記支持部の第１位置においては、前記第１枝部の端部が前記渦巻きバネに係合し、
前記支持部の第２位置においては、前記第１枝部及び前記第２枝部のいずれも前記渦巻きバネには係合せず、
前記支持部の第３位置においては、前記第２枝部の端部が前記渦巻きバネに係合する、請求項２記載の昇降装置。
【請求項４】
前記操作レバーには、前記支持部が前記第１位置から前記第２位置を経由して前記第３位置に移動するように前記操作レバーを付勢する引張バネが取り付けられると共に、前記引張りバネの付勢力に抗して、前記操作レバーの移動を阻止する３箇所の切欠きが形成され、
前記切欠きの各々は、前記渦巻きバネが格納される枠体の一部に着脱自在に係合する、請求項３記載の昇降装置。
【請求項５】
前記回動軸には、更にその中心端部が固定される第２の渦巻きバネが取り付けられ、
前記第２の渦巻きバネの外方端部は、一定位置に固定されたピンに係合する、請求項１から請求項４のいずれかに記載の昇降装置。
【発明の詳細な説明】
【０００１】
【発明の属する技術分野】
この発明は昇降装置に関し、特に台所の昇降棚や玄関の靴箱等に用いられる昇降装置に関するものである。
【０００２】
【従来の技術】
図５は従来の台所の昇降棚として用いられる昇降装置の外観形状を示した正面図であり、図６は図５で示したＶＩ−ＶＩラインの断面図である。
【０００３】
これらの図を参照して、前方が開放の箱型形状よりなる収納ケース１４の内部に、同じく前方が開放形状の昇降棚１３が収納されている。昇降棚１３の左側面には前支持リンク１６ａ及び後支持リンク１７ａよりなる平行支持リンクが、取付板１８を介して取り付けられている。同様に昇降棚１３の右側面には前支持リンク１６ｂ及び後支持リンク１７ｂよりなる平行支持リンクが取り付けられている。
【０００４】
前支持リンク１６ａの下方端部は、回動軸３３を中心として回動自在に機構ボックス２０の側面に取り付けられている。一方、後支持リンク１７ａの下方部は回動軸２１を中心として回動自在に機構ボックス２０の側面に取り付けられている。回動軸２１は機構ボックス２０の内部に挿通され、渦巻きバネ６１が機構ボックス２０内部において回動軸２１に対して取り付けられている。
【０００５】
又、後支持リンク１７ａの下方端部には軸２９が取り付けられ、この軸２９は機構ボックス２０内部に挿通されてそこにオイルダンパー２５の一端が接続されている。尚、オイルダンパー２５の他方端部は、機構ボックス２０内部の所定位置に接続されている。
【０００６】
このように昇降装置１１は構成されていることから、昇降棚１３を矢印で示すように収納ケース１４に対して水平状態を保ったまま前方下方に引出すことが可能となる。これによって昇降棚１３に対して物品を収納したり取り出したりすることが容易となる。物品の収納等が終了すると昇降棚１３を矢印で示すように後方上方に持ち上げると、収納ケース１４内に昇降棚１３が収納されることになる。
【０００７】
ここでオイルダンパー２５は、昇降棚１３の昇降動作において急激な移動を抑制するために設けられている。
【０００８】
一方、渦巻きバネ６１は昇降棚１３の昇降動作に要する力を軽減するために設けられているものである。そこで渦巻きバネ６１の詳細構造について図７を参照して説明する。
【０００９】
図７は図６で示した渦巻きバネの取付部分の拡大図である。
【００１０】
図を参照して、後支持リンク１７ａに取り付けられ機構ボックス２０内部に挿通した回動軸２１に対して、渦巻きバネ６１の中心端部が固定されている。渦巻きバネ６１の外方端部は係合部６２として折り曲げられ、機構ボックス２０の側面に固定されているピン６３に係合する。すなわち、係合部６２はピン６３に係合した位置においては、もはや時計方向回りの移動が阻止された状態となる。
【００１１】
昇降棚１３が前方下方に引き降ろされた場合には、後支持リンク１７ａは回動軸２１を中心として時計方向回りに回転する。このため回動軸２１も同様に時計方向回りに回転する。これによって、渦巻きバネ６１の内方端部は時計方向回りに回転させられることになり、渦巻きバネ６１は回動軸２１に対して反時計方向回りの回転力を反発力として発生する。
【００１２】
言い換えれば、渦巻きバネ６１は後支持リンク１７ａを時計方向回りに回転させた際に抵抗力を生じることになる。このため昇降棚１３自体の重量や昇降棚１３内部に収容された物品の重量に対して、昇降棚１３を引き降ろす際に後支持リンク１７ａに加わる力を相殺して低減させる。又、この渦巻きバネ６１の反発力は、昇降棚１３を前方下方に引出した状態から収納ケース１４内に収納させる際にも、これに要する力を軽減するように働くことになる。これによって昇降棚１３の昇降をスムーズに行うことが可能となる。
【００１３】
【発明が解決しようとする課題】
上記のような従来の昇降装置では、昇降棚に収納されている物品の重量が一定の場合には特に問題がない。しかし、一般的には収納する物品の重量がばらつく事が多いのが現状である。そのため、渦巻きバネの反発力が一定であると、昇降棚の昇降動作が軽くなりすぎたり、或いは重くなりすぎたりしてスムーズな昇降棚の昇降が困難となりやすい。
【００１４】
この発明は上記のような課題を解決するためになされたもので、昇降棚に収納する物品の重量の変化に関わらず、スムーズな昇降を可能とする昇降装置を提供することを目的とする。
【００１５】
【課題を解決するための手段】
上記の目的を達成するために、請求項１記載の発明は、収納ケースに収納された昇降棚に取り付けられた平行支持リンクによって、昇降棚を収納ケースから前方下方に移動自在とする昇降装置であって、平行支持リンクの少なくとも一方の支持リンクの回動軸にその中心端部が固定される渦巻きバネと、軸を中心に回動自在で且つ軸から外方に伸びその端部の各々に渦巻きバネの外方端部に係合し得る係合ピンを備えた第１枝部及び第２枝部を含むストッパと、ストッパに接続され、ストッパを軸を中心として回動自在とする操作レバーとを含み、外方端部に対する係合位置を２以上の位置に変更し得るバネ調整手段とを備えたものである。
【００１６】
このように構成すると、渦巻きバネの反発力が少なくとも３段階に調整される。また、操作レバーの位置に応じて渦巻きバネの係合位置が変化する。
【００１９】
請求項２記載の発明は、請求項１記載の発明の構成において、ストッパは、軸から更に外方に伸びる支持部を備え、操作レバーは、支持部の端部に接続されるものである。
【００２０】
このように構成すると、操作レバーの位置によって支持部を介してストッパの回動が制御される。
【００２１】
請求項３記載の発明は、請求項２記載の発明の構成において、第１枝部、第２枝部及び支持部は軸を中心として三叉状に配置され、支持部の第１位置においては、第１枝部の端部が渦巻きバネに係合し、支持部の第２位置においては、第１枝部及び第２枝部のいずれも渦巻きバネに係合せず、支持部の第３位置においては、第２枝部の端部が渦巻きバネに係合するものである。
【００２２】
このように構成すると、支持部の位置に応じてストッパの渦巻きバネとの係合状態が変化する。
【００２３】
請求項４記載の発明は、請求項３記載の発明の構成において、操作レバーには、支持部が第１位置から第２位置を経由して第３位置へ移動するように操作レバーを付勢する引張バネが取り付けられると共に、引張バネの付勢力に抗して、操作レバーの移動を阻止する３箇所の切欠きが形成され、切欠きの各々は、渦巻きバネが格納される枠体の一部に着脱自在に係合するものである。
【００２４】
このように構成すると、操作レバーの移動が容易となると共に、移動停止状態が安定する。
【００２５】
請求項５記載の発明は、請求項１から請求項４のいずれかに記載の発明の構成において、回動軸には、更にその中心端部が固定される第２の渦巻きバネが取り付けられ、第２の渦巻きバネの外方端部は、一定位置に固定されたピンに係合するものである。
【００２６】
このように構成すると、支持リンクに加わる反発力の強さの種類が増加する。
【００２７】
【発明の効果】
以上説明したように、請求項１記載の発明は、渦巻きバネの反発力を少なくとも３段階に調整することができるため、昇降棚に格納する物品の重量に応じた調整範囲が拡大し、よりスムーズな昇降が可能となり使い勝手が向上する。また、ストッパの位置に応じて操作バネの係合位置が変化するため、操作レバーの操作のみで渦巻きバネの反発力を選択することが容易となる。
【００２９】
請求項２記載の発明は、請求項１記載の発明の効果に加えて、操作レバーは第１枝部及び第２枝部とは独立した支持部に接続されるため、ストッパの配置が容易となる。
【００３０】
請求項３記載の発明は、請求項２記載の発明の効果に加えて、支持部の位置に応じてストッパと渦巻きバネとの係合状態が変化するため、渦巻きバネの反発力の制御が安定する。
【００３１】
請求項４記載の発明は、請求項３記載の発明の効果に加えて、操作レバーの移動が容易となると共に移動停止状態が安定するため、渦巻きバネの調整が容易となり使い勝手が向上する。
【００３２】
請求項５記載の発明は、請求項１から請求項４のいずれかに記載の発明の効果に加えて、支持リンクに加わる反発力の強さの種類が増加するため、より細やかな支持リンクに対する反発力の調整が容易となる。
【００３３】
【発明の実施の形態】
図１はこの発明の第１の実施の形態による昇降装置の概略構成を示す断面図であって、従来例で示した図６の断面図に対応したものである。
【００３４】
図を参照して、昇降装置１１は前方が開放された箱型形状の収納ケース１４と、収納ケース１４内部に収納され前方が開放された箱型形状の昇降棚１３とから構成され、昇降棚１３は図で矢印で示す方向に昇降自在とされている。
【００３５】
昇降棚１３の左側面には、平行支持リンクを構成する前支持リンク１６及び後支持リンク１７が取り付けられている。具体的には前支持リンク１６の上方端部は、昇降棚１３の側面に固定されている取付板１８に軸３４を介して回動自在に接続されている。前支持リンク１６の下方端部は、機構ボックス２０を構成する枠体２７の側面に回動軸３３を中心として回動自在に取り付けられている。
【００３６】
一方、後支持リンク１７の上方端部は、軸２８を中心として回動自在に取付板１８に接続されている。後支持リンク１７の下方部は回動軸２１を中心として回動自在に取り付けられており、回動軸２１は枠体２７の側面を貫通してその内部まで挿通した状態で取り付けられている。又、枠体２７内部での回動軸２１に対しては、後述するように渦巻きバネ２２及び渦巻きバネ２３が取り付けられている。
【００３７】
更に、後支持リンク１７の下方端部は軸２９を中心として回動自在に取り付けられており、軸２９は枠体２７を貫通して内部に挿通した状態となっている。枠体２７の内部において、軸２９に対してオイルダンパー２５の下方端部が回動自在に取り付けられている。一方、オイルダンパー２５の上方端部は枠体２７に固定されている軸３０に対して回動自在に接続されている。
【００３８】
尚、渦巻きバネ２２及び渦巻きバネ２３の下方部には、後述するバネ調整装置２６が枠体２７内部に取り付けられている。
【００３９】
このように昇降装置１１が構成されることにより、矢印で示すように収納ケース１４内部に収納された昇降棚１３が水平状態を保持した状態で昇降する。
【００４０】
図２は図１で示したバネ調整装置の詳細構造を示すための図であり、図１で示したオイルダンパー２５についてはその記載を省略している。又、図３は図２で示したＩＩＩ−ＩＩＩラインの断面図であり、図４は図２で示したＩＶ−ＩＶラインの断面図である。
【００４１】
これらの図を参照して、枠体２７内部に挿通された回動軸２１に対して、２つの渦巻きバネ２２及び渦巻きバネ２３が並列状態で取り付けられている。渦巻きバネ２３については、その中心端部が回動軸２１に固定されていると共に、その外方端部は枠体２７内部に固定されている図示しないピンに対して係合するように構成されている。
【００４２】
渦巻きバネ２２の斜め下方には、軸３７を中心として回動自在のストッパ３６が取り付けられている。ストッパ３６は、２枚の板が係合ピン３９、係合ピン４２及び軸４５を介して所定間隔となるように構成されている。平行な板の各々は、三叉状に配置されており、軸３７を中心として一方向に伸びその先端に係合ピン３９が取り付けられている第１枝部３８と、軸３７を中心として他の方向に伸びその先端に係合ピン４２が取り付けられている第２枝部４１と、軸３７を中心として更に他の方向に伸び、その先端に軸４５が取り付けられている支持部４４によって構成されている。
【００４３】
ストッパ３６の軸４５には、棒状の操作レバー４６の一方端が回動自在に接続されている。又、操作レバー４６の中央部の開口５０には、引張りバネ４９の下方端が取り付けられている。引張りバネ４９の上方端は枠体２７の側面のピン５３に取り付けられている。又、操作レバー４６の他方端側にはのこぎり状の切欠き４７ａ〜４７ｃが３箇所設けられている。切欠き４７ａ〜４７ｃのいずれかが、操作レバー４６の位置に応じて枠体２７の前面に係合されている開口４８に係合するように構成されている。バネ調整手段たるバネ調整装置２６は、このようなストッパ３６と操作レバー４６とから構成されている。
【００４４】
一方、枠体２７内部の回動軸２１にその中心端部が固定されている、渦巻きバネ２２の外方端部は図のように曲げられて係合部５１を構成し、回動軸２１の回転に伴って係合部５１は一点鎖線状の円軌道を移動することになる。
【００４５】
次にバネ調整装置２６の使用状態について説明する。
【００４６】
まず実線で示す第１位置においては、ストッパ３６の係合ピン４２が、渦巻きバネ２２の係合部５１の移動軌道上に位置するように、軸３７を中心にストッパ３６は回動する。すなわち、操作レバー４６は枠体２７から最大の位置に引き出された状態となり、この位置において切欠き４７ａは枠体２７の開口４８に係合する。この状態で引張りバネ４９の下方端は枠体２７側に移動するため、バネ４９は伸びた状態となり操作レバー４６を図２においては左方向に付勢する。
【００４７】
このようにして、切欠き４７の開口４８への係合と引張りバネ４９の引張力とによって操作レバー４６は固定され、ストッパ３６は実線の位置に停止することになる。その結果、渦巻きバネ２２の係合部５１はストッパ３６の係合ピン４２に係合する。この状態で昇降棚１３が収納ケース１４から引き降ろされると、後支持リンク１７は回動軸２１と共に時計方向回りに回転することになる。これによって渦巻きバネ２２から反時計方向回りの大きな反発力が生じる。
【００４８】
すなわち、この第１位置にバネ調整装置２６を調整することによって、後支持リンクに加わる反発力は、渦巻バネ２２によるものと渦巻バネ２３によるものとの合計となるため、昇降棚１３に重量物を収納した場合であっても昇降棚１３のスムーズな昇降が可能となる。
【００４９】
次に操作レバー４６の開口４８に対する係合状態を解き、折曲げ部５２を操作して２番目の切欠き４７ｂを開口４８に係合させる。この位置が二点鎖線で示すバネ調整装置２６の第２の位置である。この位置にあっては、ストッパ３６の係合ピン３９及び係合ピン４２のいずれも、渦巻きバネ２２の係合部５１の軌道上から外れた位置に移動する。従って渦巻きバネ２２の係合部５１はどの位置においても係合状態とならないため、渦巻きバネ２２より生じる反発力は生じず、渦巻きバネ２３からの反発力のみが回動軸２１を介して後支持リンク１７に伝達されることになる。すなわち、この状態は昇降棚１３に収容されている物品が最も軽い状態において適切となるものである。
【００５０】
更に、切欠き４７ｂと開口４８との係合状態を解き、折曲げ部５２を操作して操作レバー４６の先端部の切欠き４７ｃを枠体２７の開口４８に係合させると、バネ調整装置２６は破線で示した第３位置となる。この位置にあっては、ストッパ３６の係合ピン３９は、渦巻きバネ２２の係合部５１の軌道上に位置することになり、渦巻きバネ２２の時計方向回りの回転に伴って係合部５１に係合する。
【００５１】
この係合位置は第１の位置における係合ピン４２の係合位置に対して時計方向回りに所定距離進んだ位置となっている。従って後支持リンク１７の時計方向回りの回転動作に伴って渦巻きバネ２２に生じる反時計方向回りの反発力が、第１の位置における反発力に比べて小さくなる。これによって後支持リンク１７に加わる反発力は、この渦巻きバネ２２によるものと渦巻きバネ２３によるものとの合計となる。この結果、この第３位置においては、昇降棚１３に収容し得る物品の重量は、第１の位置によるものと第２の位置によるものとの中間的なものに適したものとなる。
【００５２】
このようにバネ調整装置２６を設け、折曲げ部５２を介して操作レバー４６の枠体２７からの引出程度を変更することによって、昇降棚１３の収納物の重量に合わせた渦巻きバネ２２及び渦巻きバネ２３による反発力を容易に調整することが可能となる。
【００５３】
尚、上記の実施の形態では、ストッパには支持部が設けられているが、支持部を設けずに操作レバーを直接ストッパの第１枝部又は第２枝部に回動自在に接続するように構成しても良い。
【００５４】
又、上記の実施の形態では、ストッパは三叉形状としているが、形状はこれに限らず、少なくとも渦巻バネとの係合箇所が２箇所以上あるものであれば他の形状でも良い事は言うまでもない。
【００５５】
更に、上記の実施の形態では、操作レバーを用いてストッパの位置を調整、固定しているが、操作レバー以外の他の調整、固定手段を用いても良い。
【００５６】
更に、上記の実施の形態では、操作レバーに引張りバネを取付けているが、引張りバネに代えて他の付勢手段を用いても良い。
【００５７】
更に、上記の実施の形態では、バネ調整手段を後支持リンクに取付けているが、これを前支持リンクに取付けても良い。あるいは、バネ調整手段を前支持リンク及び後支持リンクのいずれにも取付けるように構成しても良い。
【００５８】
更に、上記の実施の形態では、平行支持リンクを昇降棚の両側に取付けているが、いずれか一方のみに取付けるように構成することも可能である。
【００５９】
更に、上記の実施の形態では、台所の昇降棚に適用しているが、玄関の靴箱等の他の昇降装置にも同様に適用できることは言うまでもない。
【図面の簡単な説明】
【図１】この発明の第１の実施の形態による昇降装置の概略構成を示す断面図である。
【図２】図１で示したバネ調整装置の具体的構成を示すための拡大図である。
【図３】図２で示したＩＩＩ−ＩＩＩラインの断面図である。
【図４】図２で示したＩＶ−ＩＶラインの断面図である。
【図５】従来の昇降装置の概略構成を示す正面図である。
【図６】図５で示したＶＩ−ＶＩラインの断面図である。
【図７】図６で示した渦巻きバネの詳細構造を示した拡大図である。
【符号の説明】
１１…昇降装置
１３…昇降棚
１４…収納ケース
１６…前支持リンク
１７…後支持リンク
２１…回動軸
２２，２３…渦巻きバネ
２６…バネ調整装置
２７…枠体
３６…ストッパ
３７…軸
３８…第１枝部
４１…第２枝部
４４…支持部
４６…操作レバー
尚、各図中同一符号は同一又は相当部分を示す。
【図１】
0003608656.tif 000002
【図２】
0003608656.tif 000003
【図３】
0003608656.tif 000004
【図４】
0003608656.tif 000005
【図５】
0003608656.tif 000006
【図６】
0003608656.tif 000007
【図７】
0003608656.tif 000008